(57)【特許請求の範囲】
【請求項１】
顧客が所属する団体での個人識別情報を記憶する磁気ストライプと、会員サービスを提供するサービス提供者が発行する会員番号データを予め少なくとも１つ以上記憶しているメモリ手段とを具備したＩＣカードと、
前記会員サービスを受ける際に利用される書き換え可能な会員カードと、
前記サービス提供者が前記会員サービスを提供する場所に設けられ、前記会員サービスを享受する前記顧客の所持する前記ＩＣカードを受付けて、前記ＩＣカードの前記メモリ手段から前記会員番号データを読み出し、該読み取った会員番号に使用期限を追加して前記会員カードに書き込み、前記会員カードの発行を行うカード発行装置と、
を備えたことを特徴とするカード変換システム。
【請求項２】
顧客が所属する団体でのＩＤ番号を記憶する磁気ストライプと、前記顧客が所属する団体での個人識別情報及び会員サービスを提供するサービス提供者が発行する会員番号データを予め少なくとも１つ以上記憶しているメモリ手段とを具備したＩＣカードと、
前記サービス提供者が前記会員サービスを提供する場所に設けられ、前記会員サービスを享受する前記顧客の所持する前記ＩＣカードを受付けて、前記ＩＣカードの前記メモリ手段から前記会員番号データを読み出し、該読み取った会員番号データに使用期限を追加して前記ＩＣカードの磁気ストライプに書き込んで書換え、前記ＩＣカードを使用期限付き会員カードとして利用可能にするカードリーダライタ装置と、
を備えたことを特徴とするカード変換システム。
【請求項３】
前記所属する団体が企業又は学校等の小規模集団である請求項１又は２に記載のカード変換システム。
【発明の詳細な説明】
【０００１】
【発明の属する技術分野】
本発明は、ＩＣカードに記憶させた他のカードの集約データを所定のフォーマットに変換して同一又は別のカードの記憶部に記憶させて発行するカード変換システムに関し、特に、店舗などで一般的に使われている既存の会員カードを発行せずに、顧客が会員サービスを享受する際に店舗内で使用できる会員カードを発行して回収及び再利用できるようにしたカード変換システムに関する。
【０００２】
【従来の技術】
ＩＣカードに他のカードの情報を記憶させておき、磁気カードの処理装置を使用する際にＩＣカードの情報を簡易磁気カードに書込んで利用することができるようにしたものとしては、例えば特開平４−３６９０９７号公報に記載のものが挙げられる。このカード処理システムは金融機関の現金支払いシステムにＩＣカードを利用するようにしたものであり、この公報には、ＩＣカード内部に複数の磁気カードの情報を単独に格納することができ、このＩＣカードを使って現金を引き出す際には、ＣＤ機に設けられた磁気カード発行機によってＩＣカードに記録されている該当金融機関のデータを読出して簡易磁気カードを発行し、この簡易磁気カードを用いて現金の支払いを受けるものが記載されている。
【０００３】
【発明が解決しようとする課題】
しかしながら、この場合のＩＣカードは単に情報を記憶しているのみであり、従来の磁気カードを利用していたシステムと比べると、磁気カードの暗証番号読取りによる不正利用がされ難くなるため、セキュリティが向上するという利点があるが、そのカードを多目的に利用することができないという欠点がある。近年、百貨店等の商店や各種サービス業の店舗では様々な目的で会員カードを発行しており、個人が多種類の会員カードを所持しているのが現状である。そのようなカードは簡易カードとして発行されて再利用できないカードもあり、また、所持者が紛失したり利用せずに捨ててしまったりするカードも数多くある。そのため、カード消費枚数が多くなり、環境問題の観点からもカード枚数を減らすことが重要な課題となっている。上述した特開平４−３６９０９７号公報に記載のものは、金融機関の現金支払い／預け入れ機に用いるカードを対象としているため、その場合は、将来的には磁気カードの代わりに金融機関共通に利用できるＩＣカードを用いたシステムを構築すれば、セキュリティの問題と発行枚数の問題は改善することができ、その公報に記載されている方式を採る必要がなくなると言える。しかし、各種の店舗で多目的に使用されるカードの場合には、従来のカード処理システムでは上述のような問題を解決することができないため、何らかのシステムが実現されることが望まれている。
【０００４】
本発明は上述のような事情から成されたものであり、本発明の目的は、利用者が複数の会員カードを持ち運ぶことなく会員サービスを享受することができると共に、会員カードによるサービスを供与する側においては、各売場に設置してあるカードリーダ等の端末設備の変更をすることなくサービスを供与することができ、且つカード消費枚数を削減することができるカード変換システムを提供することにある。
【０００５】
【課題を解決するための手段】
本発明の上記目的は、顧客が所属する団体での個人識別情報を記憶する磁気ストライプと、会員サービスを提供するサービス提供者が発行する会員番号データを予め少なくとも１つ以上記憶しているメモリ手段とを具備したＩＣカードと、前記会員サービスを受ける際に利用される書き換え可能な会員カードと、前記サービス提供者が前記会員サービスを提供する場所に設けられ、前記会員サービスを享受する前記顧客の所持する前記ＩＣカードを受付けて、前記ＩＣカードの前記メモリ手段から前記会員番号データを読み出し、該読み取った会員番号データに使用期限を追加して前記会員カードに書き込み、前記会員カードの発行を行うカード発行装置とを備えたことを特徴とするカード変換システムによって達成される。
【０００６】
また、本発明の上記目的は、顧客が所属する団体でのＩＤ番号を記憶する磁気ストライプと、前記顧客が所属する団体での個人識別情報及び会員サービスを提供するサービス提供者が発行する会員番号データを予め少なくとも１つ以上記憶しているメモリ手段とを具備したＩＣカードと、前記サービス提供者が前記会員サービスを提供する場所に設けられ、前記会員サービスを享受する前記顧客の所持する前記ＩＣカードを受付けて、前記ＩＣカードの前記メモリ手段から前記会員番号データを読み出し、該読み取った会員番号データに使用期限を追加して前記ＩＣカードの磁気ストライプに書き込んで書換え、前記ＩＣカードを使用期限付き会員カードとして利用可能にするカードリーダライタ装置とを備えたことを特徴とするカード変換システムによっても達成される。
この場合には、会員カードの返却後に磁気ストライプを書換え、記録データを団体での個人識別情報に戻しておく。
【０００７】
【発明の実施の形態】
本発明は、個々の磁気カード等の情報をＩＣカードに集約して記憶しておき、その記憶情報に基づいて当該カードのフォーマットに変換して所定の記憶エリアに書込んで会員カードを発行するようにしたものであり、例えば会社の社員証や学生の学生証など限られた団体で発行されているＩＤカードに複数の商店などの会員カードの情報を記憶させ、既存の会員カードを発行せずに、顧客が会員サービスを享受する際に店舗内でカードを発行して回収及び再利用できるようにしたものである。店では、店に客の来店があった際に、その会員カードをＩＤカードに記憶されているデータから作成して客に渡し、店内でその会員カードのサービスを受けてもらうようにする。このことにより、店では新たにカードリーダの仕様を変更することなく顧客にサービスを行うことができると共に、新規会員には会員のＩＤ番号を発行するだけでカードは所属団体のＩＤカードで良いので新規会員カードの発行を行う必要がなくなり、経費の節減ができる。
【０００８】
以下に説明する第１の実施形態では、所持者のＩＣカードのメモリに記憶されている複数の会員番号等の集約データに基づいて所定のフォーマットに変換したデータを発行カードに書込み、該当会員サービス団体専用の使用期限付き会員カードとして発行し、返却された会員カードを再利用できるようにした構成としている。また、第２の実施形態では、所持者のＩＣカードのメモリに記憶されている複数の会員番号等の集約データに基づいて所定のフォーマットに変換したデータをＩＣカード内の特定エリア（本例ではＩＣカードに設けた磁気ストライプ内の特定エリア）に書込み、ＩＤカード自体を会員カードとして利用できるようにした構成としている。
【０００９】
以下、図面に基づいて本発明の好適な実施例について詳細に説明する。
図１は本発明に係るカード変換装置の一例を示す外観斜視図であり、カード変換装置１０の筐体上部の前面パネルは所定の傾斜角を成して形成されており、表示部１６ａ，操作部１４ａ，返却された使用期限付き会員カードの回収確認を行うための磁気データ読取部１３ｂ及び記録媒体の装填部１８ａが設けられている。また、筐体の上部後方にはジャーナル出力口１７ａが設けられ、更にその後方には暗証入力用キーパッド１５が装着されている。そして、筐体下部の前面パネルには、ＩＣカードのカード挿入口１２ａ及び会員カードの挿入口（発行口）１３ａが設けられている。第１の実施形態では、顧客が所持するＩＣカードがカード挿入口１２ａに挿入され、更に会員カードがカード挿入口１３ａに挿入され、ＩＣカード内の会員情報が会員カードに書込まれて発行される。第２の実施形態では、顧客が所持するＩＣカードがカード挿入口１２ａに挿入され、会員情報がＩＣカードに書込まれる。このカード変換装置１０は会員サービスを受ける場所に設けられ、例えば、百貨店のような大規模店舗の場合はサービスカウンタや総合案内所に設置される。
【００１０】
図２はカード変換装置１０の内部構成の一例を示している。図２において、カード変換装置１０は、ＩＣカード内のメモリ及び磁気ストライプ部のデータの読み書きを行うためのカードリーダライタ（以下、ＩＣカードリーダライタと言う）１２と、発行する会員カード（本例では磁気カード）のデータの読み書きを行うための磁気カードリーダライタ１３Ａと、回収時に店での回収確認のためにカードの磁気データを読むための磁気カードリーダライタ１３Ｂと、ファンクションキー，テンキー等から成るキーボード１４と、カード所持者が暗証番号の入力を行うためのコードレスタイプ（光通信式）の暗証入力用キーパッド（光通信テンキー）１５と、操作手順のガイダンスを表示するための表示装置１６と、会員カードの発行情報等をジャーナル印字するためのプリンタ１７と、利用状況のログを記録するためのディスク装置１８と、ホストコンピュータ等との接続を可能とする通信装置１９と、各機器を制御する制御部（ＭＰＵ等）１１とを備えている。
【００１１】
上記の機器のうち、ＩＣカードリーダライタ１２及び磁気カードリーダライタ１３Ａが筐体の下部ユニット１０Ｂに収容されている。そして、上部ユニット１０ＡはＰＯＳ端末機として独立に動作する構成になっており、図２中に示すように、制御部１１とは別のカード変換処理用の制御部（ＭＰＵ等）１１Ａを下部ユニット１０Ｂに設ける構成とした場合は、ＰＯＳ端末機として使用される構造となっている既存の上部ユニット１０Ａに下部ユニット１０Ｂを装着することによって、図１の装置構成となるようにユニット化されている。また、本実施例の構成では専用の装置とする場合であって、図２の構成例において、カード変換装置１０は、下部ユニット１０Ｂの機器で構成され、必要に応じて暗証入力用キーパッド１５，表示装置１６，及びプリンタ１７が具備される構成となる。なお、第２の実施形態では、ＩＣカード自体を会員カードとして利用する形態なので、図１中の発行カードの挿入口１３ａが設けられていない外観となり、図２中の磁気カードリーダライタ１３Ａが存在しない構成となる。以下、便宜上、第１の実施形態ではカード変換装置１０を「カード発行装置」と称し、第２の実施形態ではカード変換装置１０を「カードリーダライタ装置」と称してそれぞれ説明する。
【００１２】
先ず、第１の実施形態について説明する。図３は第１の実施形態に用いるＩＣカード１と会員カード２の一例を示している。本例でのＩＣカード１の記録媒体としては、磁気ストライプ１Ａとメモリ（ＩＣ記憶チップ）１Ｂとが設けられているカードを例としている。また、カード発行装置１０によって発行される会員カード２の記録媒体としては、磁気ストライプ２Ａが設けられている磁気カードを例としている。ＩＣカード１は、利用者が属する限られた団体（企業或いは学校等の小規模集団：以下、「所属団体」と言う）で発行されているＩＤカード  （会社の社員証や学生の学生証など）であり、所属団体のＩＤ番号（所属する団体を示すＩＤ番号又は所属する団体と個人を特定するＩＤ番号：社員番号等）が磁気ストライプ１Ａに記憶されていると共に、利用する会員サービスの会員番号データがメモリ１Ｂに記憶されている。
【００１３】
ここで、ＩＣカード１への会員データの登録方法について説明する。本システムを利用する場合は、例えば所属団体（以下、「企業」を例とする）と会員サービスの提供者（百貨店等の商店や各種サービス業の店舗：以下、「百貨店」を例とする）とで会員になる契約を結んだあと、会員番号を割り当てた記録媒体（フレキシブルディスク／書換可能光磁気ディスク等）を百貨店から企業に配給する。企業では、従業員に社員証をＩＣカード化して持たせているが、これを発行する際又は更新させる形式で社員証発行機により会員番号データを個人のＩＣカード１のメモリ１Ｂに書き込む。このときには、複数の契約店があれば同時に書込むことが効率的である。ＩＣカード１に登録される会員番号データは、本例では、発行系列（百貨店）を示す番号と会員情報（会員番号等）から成り、百貨店Ａでは会員番号ｉ，百貨店Ｂでは会員番号ｊ，百貨店Ｃでは会員番号ｋというように百貨店毎の会員情報がＩＣカード１のメモリ１Ｂの所定のエリアにに格納されるようになっている。
【００１４】
上述にような構成において、第１の実施形態におけるカード発行装置（カード変換装置）１０の動作例を図５のフローチャートに沿って説明する。カード発行装置１０は、カード発行の指示がされたのであれば、利用者のカードの挿入を促すガイダンスを表示部１６ａに表示してＩＣカード１の挿入待ちとする（ステップＳ１）。担当者によって利用者のＩＣカード１がカード挿入口１２ａに挿入されると、カード発行装置１０の制御部１１では、磁気ストライプ１Ａに記憶されている個人識別データをＩＣカードリーダライタ１２によって読出し（ステップＳ２）、個人識別データに含まれるＩＤ番号によりＩＣカード１の正当性のチェック（所属団体の個人所有カードであることの確認：本例では社員証の認証）を行う（ステップＳ３）。そして、ステップＳ４にて正当なカードでないと判定した場合は、カードを投出すると共にカードの確認を促すガイダンスを表示し、ステップＳ１に戻って次のＩＣカード１の挿入待ちとする。一方、ステップＳ４において正当なカードと判定した場合は、店の会員番号のデータがあるかどうかをチェックし（ステップＳ５）、なければ返却し（ステップＳ６）、あれば会員カード２の挿入を促すガイダンスを表示して会員カード２の挿入待ちとする（ステップＳ７）。
【００１５】
担当者によって店で用意されている会員カード２がカード挿入口１３ａに挿入されると、カード発行装置１０の制御部１１では、会員カード２の磁気ストライプ２Ａに記憶されているデータを磁気カードリーダライタ１３Ａによって読出し（ステップＳ８）、会員カード２のフォーマットが合致して使用可がどうかをカードＩＤ若しくはＣＲＣによりチェックし（ステップＳ９）、会員カード２でない場合は、カードを投出すると共にカードの確認を促すガイダンスを表示し、ステップＳ７に戻って会員カード２の挿入待ちとする。一方、ステップＳ９において会員カード２であることの確認がとれた場合は、暗証番号の入力を促すガイダンスを表示する。担当者は暗証入力用キーパッド１５をカード所持者に渡して暗証番号を入力してもらう（ステップＳ１０。カード所持者により暗証番号が入力されると、制御部１１では、ＩＣカード１磁気ストライプ１Ａから読出した暗証番号と入力された暗証番号とを照合して利用者が本人であることの確認（個人の認証）を行い（ステップＳ１１）、認証できなかった場合は、カードを投出すると共に暗証番号の再入力を促すガイダンスを表示し、ステップＳ８に戻って暗証番号の入力待ちとする。
【００１６】
一方、ステップＳ１２にて認証ＯＫであれば、ＩＣカード１のメモリ１Ｂから会員番号データをＩＣカードリーダライタ１２によって読出し、発行系列の番号により当該店舗の会員番号データを得て、図３に示すように、当該店舗の会員番号データに使用期限（当日限り又は所定期間）を追加し、所定のフォーマットに変換した会員番号データＤＴａを磁気カードリーダライタ１３Ａによって会員カード２の磁気ストライプ２Ａに書込む（ステップＳ１３）。そして、発行情報  （発行日，使用期限，社員番号，会員番号等）をプリンタ１７によってジャーナル印字してジャーナル出力口１７ａに出力し（ステップＳ１４）、ＩＣカード１を投出して返却すると共に、会員カード２を投出して利用者に発行し（ステップＳ１５）、カード変換処理を終了する。なお、使用期限を当日限りとしている場合は、利用者は店を出る際に会員カード２を返却する。その際、会員カード２を磁気データ読取部１３ｂに通すと、磁気カードリーダライタ１３Ｂによって会員番号データが読取られ、貸出カードのリストから消去されると共に当該カードが返却された旨の表示がされる。担当者は返却された旨の表示を確認して会員カード２を回収する。回収された会員カード２は貸出カードのリストから消去され、新たな発行カードとして再利用される。
【００１７】
次に、第２の実施形態について説明する。第２の実施形態は、ＩＤカード自体を会員カードとして利用するようにした形態であり、カードリーダライタ装置  （カード変換装置）１０の構成については前述した通りであるため、ここでは説明を省略する。図４は第２の実施形態に用いるＩＣカード１の一例を示している。ＩＣカード１の構成は第１の実施形態と同様であり、同図に示すように、記録媒体としては磁気ストライプ１Ａとメモリ（ＩＣ記憶チップ）１Ｂとが設けられているカードを例としている。第２の実施形態では、所属団体に属する個人の識別情報（必要であれば暗証番号、指紋情報、声紋情報、氏名など）と利用する会員サービスの会員番号データとがメモリ１Ｂに記憶されている。磁気ストライプ１Ａには、第１の実施形態と同様にカードＩＤが通常記憶されている。この磁気ストライプ１Ａには、メモリ１Ｂ内のデータのバックアップ用として個人識別情報や会員番号データの一部の情報を記憶しておくようにしても良い。ＩＣカード１への会員データの登録方法は、第１の実施形態と同様である。
【００１８】
上述にような構成において、第２の実施形態におけるカードリーダライタ装置（カード変換装置）１０の動作例を図６のフローチャートに沿って説明する。なお、第１の実施形態と同一の処理については簡略化して説明する。カードリーダライタ装置１０は、担当者によって利用者のＩＣカード１がカード挿入口１２ａに挿入されると、カードリーダライタ装置１０の制御部１１では、磁気ストライプ１ＡのデータをＩＣカードリーダライタ１２によって読出し（ステップＳ２１，Ｓ２２）、読出しができたかどうかによりＩＣカード１の磁気ストライプ部の動作が可能であることをチェックする（ステップＳ２３）。そして、磁気ストライプ１Ａのデータの読出しができたのであれば、ＩＣカード１のメモリ１ＢからデータをＩＣカードリーダライタ１２によって読出し（ステップＳ２４）、読出した暗証番号と入力された暗証番号とを照合して個人の認証を行う（ステップＳ２５，Ｓ２６）。
【００１９】
そして、ステップＳ２７にて認証ＯＫであれば、磁気ストライプ１Ａから読出したデータをＩＣカード１のメモリ１Ｂに記憶させる（ステップＳ２８）。続いて、ステップＳ２４で読出したデータに含まれる会員番号データを検索して予め割り当てられてる会員番号から当該店舗の会員番号を特定し、図４に示すように、当該店舗の会員番号データに使用期限（当日限り又は所定期間）を追加し、所定のフォーマットに変換した会員番号データＤＴｂをＩＣカードリーダライタ１２によってＩＣカード１の磁気ストライプ１Ａに書込む（ステップＳ２９）。そして、発行情報をジャーナル印字して出力し（ステップＳ３０）、ＩＣカード１を投出して使用期限付きの会員カードとして利用者に発行し（ステップＳ３１）、カード変換処理を終了する。この第２の実施形態では、その店での利用を終えたときに、ＩＣカードのメモリ１Ｂに一時記憶している個人認識データを磁気ストライプ１Ａに記録する。すなわち、磁気ストライプ１Ａの記録データを元に戻しておく。また、第２の実施形態では、利用者が他の百貨店等でサービスを受ける場合は、その店舗で会員番号データをＩＣカード１に書込んでもらい、当該店舗での会員カードとして利用することになる。
【００２０】
なお、上述した実施の形態では、会員番号を特定のエリアに書込む場合を例として説明したが、書込むデータ及びフォーマットは同一仕様に限定されるものではなく、店舗毎に設定された所定のサイズの任意データでも良く、店舗毎に設定されたフォーマットの識別情報に基づいてカード変換装置で当該店舗（系列グループ）専用のフォーマットに変換して書込むようにしても良い。その場合は、カード変換装置１０又はＩＣカード１のプログラムによって、店舗毎に変換処理を切換えて処理する形態となる。また、上述した第１の実施形態では、会員カード２の記録媒体としては磁気ストライプ２Ａが設けられている磁気カードを例として説明したが、ＩＣ記憶チップを有するＩＣカードを会員カードとしている店舗の場合は、磁気ストライプ２Ａの代わりにＩＣ記憶チップに会員番号データが記憶される。更に、ＩＣ記憶チップの会員カードの会員番号データとして会員番号以外の詳細データを必要とする場合は、詳細データ（例えばポイントや割引率等のサービス情報）をＩＣ記憶チップに記憶させずに、他の管理装置（ファイルサーバ等）から受信して処理するようにしても良い。
【００２１】
【発明の効果】
以上に説明したように、本発明によれば、百貨店等が企業や学校といった所定の集団に属する人を対象として、専用の会員カードを発行することをせずに記憶容量の大きいＩＣカードに会員番号と必要ならば使用に際してキーとなる暗証番号を記憶させておき、使用する際に該当店舗の会員番号等のデータを読出しその店で一般的に使われるフォーマットのカードを発行するようにしているので、利用者は複数のカードを持ち運ぶことなく会員サービスを享受することができ、店側では、会員１名毎に実際のカードを発行し供与すると言った経費を削減することができる。さらに、カード消費枚数を削減することが可能となる。
【図面の簡単な説明】
【図１】本発明に係るカード変換装置の一例を示す外観斜視図である。
【図２】カード変換装置の内部構成の一例を示すブロック図である。
【図３】第１の実施形態に用いるＩＣカード及び会員カードの一例を示す図である。
【図４】第２の実施形態に用いるＩＣカード一例を示す図である。
【図５】第１の実施形態におけるカード変換装置の動作例を説明するためのフローチャートである。
【図６】第２の実施形態におけるカード変換装置の動作例を説明するためのフローチャートである。
【符号の説明】
１  ＩＣカード
１Ａ  磁気ストライプ
１Ｂ  ＩＣ記憶チップ
２  会員カード
２Ａ  磁気ストライプ
１０  カード変換装置
１０Ａ  上部ユニット
１０Ｂ  下部ユニット
１１，１１Ａ  制御部
１２  ＩＣカードリーダライタ
１３Ａ  磁気カードリーダライタ
１４  キーボード
１５  暗証入力用キーパッド
１６  表示装置
１７  プリンタ
１８  ディスク装置
１９  通信装置
【図１】
0003720516.tif 000002
【図２】
0003720516.tif 000003
【図３】
0003720516.tif 000004
【図４】
0003720516.tif 000005
【図５】
0003720516.tif 000006
【図６】
0003720516.tif 000007